(57)【要約】  本開示は、サイドリンクの能力及びリソースの割り当てのための方法、端末機器及び制御機器を提供する。上記方法は、端末機器の最大処理能力情報及び／又は最大割り当て可能なリソース情報を含む、サイドリンクの伝送の関連情報を取得すること、および伝送配置を行うことを含む。【選択図】図１
2022502942.tif 000002
【特許請求の範囲】
【請求項１】
端末機器によって実行される、サイドリンクの能力及びリソースの割り当てのための方法であって、
前記端末機器の最大処理能力情報及び／又は最大割り当て可能なリソース情報を含む、サイドリンクの伝送の関連情報を取得すること、および
伝送配置を行うことを含む、方法。
【請求項２】
前記関連情報は、
ハイブリッド自動再送リクエストＨＡＲＱエンティティの数、
ＨＡＲＱプロセスの数、
ソフトバッファサイズ、
モニタリング又は検出されるターゲット情報、
処理をサポートするデータレート、
送信パワー、
サポートされる送受信搬送波の数、
サポートされる送受信アンテナの数、
サポートされる送受信ビームの数、
サポートされる送受信リソースプールの数、
サポートされる伝送モード、
サイドリンク接続の数、及び
モニタリング又は復調されるサブ搬送波幅ＳＣＳの数、のうちの少なくとも１つを含み、
前記ターゲット情報は、セカンダリリンク制御情報ＳＣＩ、制御チャネル及び制御チャネル候補のうちの少なくとも１つを含む、請求項１に記載の方法。
【請求項３】
伝送配置を行うことは、
前記サイドリンクの伝送の異なる伝送モードの間で伝送配置を行うこと、
前記サイドリンクの伝送の異なる送受信ビームの間で伝送配置を行うこと、
前記サイドリンクの伝送の異なる伝送タイプの間で伝送配置を行うこと、
前記サイドリンクの伝送の異なるリソースプールの間で伝送配置を行うこと、
前記サイドリンクの伝送の異なる業務の間で伝送配置を行うこと、及び
前記サイドリンクの伝送の異なる接続状態で伝送配置を行うこと、のうちの少なく１つを含む、請求項１又は２に記載の方法。
【請求項４】
伝送配置を行うことは、
前記サイドリンクの伝送の接続を確立する時、前記サイドリンクの伝送に使用される関連情報をネゴシエーションすること、
前記サイドリンクによってデータが伝送される時、前記サイドリンクの伝送に使用される関連情報を割り当てること、及び
前記サイドリンクの伝送の接続中に、前記サイドリンクの伝送に使用される関連情報を管理すること、のうちの少なく１つを含む、請求項１に記載の方法。
【請求項５】
前記サイドリンクの伝送に使用される関連情報をネゴシエーションすることは、
前記サイドリンクの伝送に使用される関連情報を送信することを含む、請求項４に記載の方法。
【請求項６】
前記サイドリンクの伝送に使用される関連情報をネゴシエーションすることは、
対向端機器によって推奨される、前記サイドリンクの伝送に使用される関連情報を含む、前記サイドリンクの伝送を確立するためのリクエスト情報を受信すること、
前記リクエスト情報に応答することを含む、請求項４に記載の方法。
【請求項７】
前記リクエスト情報に応答することは、
前記対向端機器とのサイドリンク接続の確立を拒否すること、又は
前記対向端機器とのサイドリンク接続を確立することを含む、請求項６に記載の方法。
【請求項８】
伝送配置を行うことは、
前記サイドリンクの伝送の接続を確立する時、又は、前記サイドリンクによってデータが伝送される時、第１のターゲットサービス品質情報及び／又は無線リソース情報に基づき、前記サイドリンクの伝送に使用される関連情報を特定することを含む、請求項１に記載の方法。
【請求項９】
前記サイドリンクの伝送に使用される関連情報を管理することは、
前記サイドリンクの伝送に使用される関連情報の全てをアクティブ化又は非アクティブ化すること、又は
前記サイドリンクの伝送に使用される関連情報における一部をアクティブ化又は非アクティブ化すること、又は
前記サイドリンクの伝送に使用される関連情報を再割り当て又は再ネゴシエーションすることを含む、請求項４に記載の方法。
【請求項１０】
前記サイドリンクの伝送に使用される関連情報を再割り当て又は再ネゴシエーションすることは、
業務需要情報及び第２のターゲットサービス品質情報のうちの少なくとも１つに基づき、前記サイドリンクの伝送に使用される関連情報を再割り当て又は再ネゴシエーションすることを含む、請求項９に記載の方法。
【請求項１１】
前記ネットワーク機器が伝送配置又はスケジューリングを行うように、前記関連情報をネットワーク機器に送信すること、又は
前記ターゲット端末機器が伝送配置又はスケジューリングを行うように、前記関連情報をターゲット端末機器に送信することをさらに含む、請求項１に記載の方法。
【請求項１２】
異なる前記伝送タイプ及び／又は異なる接続状態で伝送に使用される関連情報における能力及びリソースは、前記端末機器の最大処理能力情報及び最大割り当て可能なリソース情報を超えない、請求項３に記載の方法。
【請求項１３】
制御機器によって実行される、サイドリンクの能力及びリソースの割り当てのための方法であって、
端末機器の最大処理能力情報及び／又は最大割り当て可能なリソース情報を含む、サイドリンクの伝送の関連情報を受信すること、および
前記端末機器に対して伝送配置又はスケジューリングを行うことを含む、方法。
【請求項１４】
前記関連情報は、
ハイブリッド自動再送リクエストＨＡＲＱエンティティの数、
ＨＡＲＱプロセスの数、
ソフトバッファサイズ、
モニタリング又は検出されるターゲット情報、
処理をサポートするデータレート、
送信パワー、
サポートされる送受信搬送波の数、
サポートされる送受信アンテナの数、
サポートされる送受信ビームの数、
サポートされる送受信リソースプールの数、
サポートされる伝送モード、
サイドリンク接続の数、及び
モニタリング又は復調されるサブ搬送波幅ＳＣＳの数、のうちの少なくとも１つを含み、
前記ターゲット情報は、セカンダリリンク制御情報ＳＣＩ、制御チャネル及び制御チャネル候補のうちの少なくとも１つを含む、請求項１３に記載の方法。
【請求項１５】
端末機器であって、
前記端末機器の最大処理能力情報及び／又は最大割り当て可能なリソース情報を含む、サイドリンクの伝送の関連情報を取得するための取得モジュールと、
伝送配置を行うための伝送配置モジュールとを含む、端末機器。
【請求項１６】
制御機器であって、
端末機器の最大処理能力情報及び／又は最大割り当て可能なリソース情報を含む、サイドリンクの伝送の関連情報を受信するための受信モジュールと、
前記端末機器に対して伝送配置又はスケジューリングを行うための伝送配置モジュールとを含む、制御機器。
【請求項１７】
端末機器であって、
メモリと、プロセッサと、前記メモリに記憶されており、且つ前記プロセッサ上で運行できるプログラムとを含み、前記プログラムが前記プロセッサによって実行される時、請求項１〜１２のいずれか１項に記載のサイドリンクの能力及びリソースの割り当てのための方法のステップを実現する、端末機器。
【請求項１８】
制御機器であって、
メモリと、プロセッサと、前記メモリに記憶されており、且つ前記プロセッサ上で運行できるプログラムとを含み、前記プログラムが前記プロセッサによって実行される時、請求項１３又は１４に記載のサイドリンクの能力及びリソースの割り当てのための方法のステップを実現する、制御機器。
【請求項１９】
コンピュータ可読記憶媒体であって、
前記コンピュータ可読記憶媒体にはプログラムが記憶されており、前記プログラムがプロセッサによって実行される時、請求項１〜１４のいずれか１項に記載のサイドリンクの能力及びリソースの割り当てのための方法のステップを実現する、コンピュータ可読記憶媒体。
【発明の詳細な説明】
【技術分野】
【０００１】
（関連出願の相互参照）
本出願は、２０１８年９月２７日に中国で提出された中国特許出願番号Ｎｏ．２０１８１１１３３４７５．２の優先権を主張しており、同出願の内容の全ては、ここに参照として取り込まれる。
本開示の実施例は、通信分野に関し、特に、サイドリンク（ＳｉｄｅＬｉｎｋ、ＳＬ、又は、二次リンク、側リンク、辺リンクなどとも呼ばれる）の能力及びリソースの割り当てのための方法、端末機器及び制御機器に関する。
【背景技術】
【０００２】
ロングタームエボリューション（Ｌｏｎｇ  Ｔｅｒｍ  Ｅｖｏｌｕｔｉｏｎ、ＬＴＥ）システムは、サイドリンクの伝送をサポートし、すなわち、端末機器の間は、物理レイヤ上でデータ伝送を直接行うことができる。ＬＴＥ  ＳＬは、ブロードキャストに基づいて通信を行うものであり、車車間・路車間通信（ｖｅｈｉｃｌｅ  ｔｏ  ｅｖｅｒｙｔｈｉｎｇ、Ｖ２Ｘ）をサポートする基礎的なセキュリティ類通信に用いることができるが、他のものより高いレベルのＶ２Ｘ業務に適用されない。
【０００３】
新規無線又はニューラジオ（Ｎｅｗ  Ｒａｄｉｏ、ＮＲ）と呼ばれるシステムは、例えばユニキャスト、マルチキャスト又はグループキャストなどの、より先進的ＳＬ伝送設計をサポートしようとすることにより、より全面的な業務タイプをサポートすることができる。ＮＲ  ＳＬシステムにおいて、端末機器は、複数の対向端機器とのＳＬ接続の確立をサポートするが、関連技術には、ＳＬ伝送の能力及びリソースの割り当てに関する方案が提供されていない。
【発明の概要】
【発明が解決しようとする課題】
【０００４】
本開示の実施例の目的は、サイドリンクＳＬの能力及びリソースの割り当てのための方法、端末機器及び制御機器を提供し、サイドリンクの伝送時、端末機器の処理能力又はリソースを割り当てるために用いられる。
【課題を解決するための手段】
【０００５】
第１の態様によれば、端末機器によって実行される、サイドリンクの能力及びリソースの割り当てのための方法を提供する。前記方法は、前記端末機器の最大処理能力情報及び／又は最大割り当て可能なリソース情報を含む、サイドリンクの伝送の関連情報を取得すること、および伝送配置を行うことを含む。
【０００６】
第２の態様によれば、制御機器によって実行されるサイドリンクの能力及びリソースの割り当てのための方法を提供する。前記方法は、端末機器の最大処理能力情報及び／又は最大割り当て可能なリソース情報を含む、サイドリンクの伝送の関連情報を受信すること、および前記端末機器に対して伝送配置又はスケジューリングを行うことを含む。
【０００７】
第３の態様によれば、端末機器を提供する。前記端末機器の最大処理能力情報及び／又は最大割り当て可能なリソース情報を含む、サイドリンクの伝送の関連情報を取得するための取得ジュールと、伝送配置を行うための伝送配置モジュールとを含む。
【０００８】
第４の態様によれば、制御機器を提供する。端末機器の最大処理能力情報及び／又は最大割り当て可能なリソース情報を含む、サイドリンクの伝送の関連情報を受信するための受信モジュールと、前記端末機器に対して伝送配置又はスケジューリングを行うための伝送配置モジュールとを含む。
【０００９】
第５の態様によれば、端末機器を提供する。この端末機器は、プロセッサと、メモリと、前記メモリに記憶されており、且つ前記プロセッサ上で運行できるプログラムとを含み、前記プログラムが前記プロセッサによって実行される時、第１の態様に記載のサイドリンクの能力及びリソースの割り当てのための方法のステップを実現する。
【００１０】
第６の態様によれば、制御機器を提供する。この制御機器は、プロセッサと、メモリと、前記メモリに記憶されており、且つ前記プロセッサ上で運行できるプログラムとを含み、前記プログラムが前記プロセッサによって実行される時、第２の態様に記載のサイドリンクの能力及びリソースの割り当てのための方法のステップを実現する。
【００１１】
第７の態様によれば、コンピュータ可読記憶媒体を提供する。前記コンピュータ可読記憶媒体にはプログラムが記憶されており、前記プログラムがプロセッサによって実行される時、第１の態様又は第２の態様に記載のサイドリンクの能力及びリソースの割り当てのための方法のステップを実現する。
【発明の効果】
【００１２】
本開示の実施例によるサイドリンクの能力及びリソースの割り当てのための方法、端末機器及び制御機器は、端末機器の最大処理能力情報及び／又は最大割り当て可能なリソース情報を取得し、且つ伝送配置を行うことができ、サイドリンクの伝送時、端末機器の処理能力又はリソースを割り当てることができ、それにより通信の効率性を向上させることができる。
【００１３】
ここで示された添付図面は、本開示へのさらなる理解を提供するために使用され、本開示の一部を構成する。本開示の例示的な実施例及びその説明は、本開示を解釈するために用いられ、本開示への不適切な限定を構成するものではない。
【図面の簡単な説明】
【００１４】
【図１】本開示の一実施例によるサイドリンクの能力及びリソースの割り当てのための方法の概略フローチャートである。
【図２】本開示の別の実施例によるサイドリンクの能力及びリソースの割り当てのための方法の概略フローチャートである。
【図３】本開示の一実施例による端末機器の構造概略図である。
【図４】本開示の一実施例による制御機器の構造概略図である。
【図５】本開示の別の実施例による端末機器の構造概略図である。
【図６】本開示の別の実施例によるネットワーク機器の構造概略図である。
【発明を実施するための形態】
【００１５】
本開示の目的、技術案及び利点をより明確にするために、以下では、本開示の具体的な実施例及び相応な添付図面を結び付けて、本開示の技術案を明確かつ完全に記述する。明らかに、記述された実施例は、本開示の一部の実施例に過ぎず、全ての実施例ではない。本開示における実施例に基づき、当業者が創造的な労力を払わない前提で得られたすべての他の実施例は、いずれも本開示の保護範囲に属する。
【００１６】
理解すべきことは、本開示の実施例の技術案は、例えば、グローバルモバイル通信システム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、ジェネラルパケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）システム、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、又はワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、５Ｇシステム、又は新規無線（Ｎｅｗ  Ｒａｄｉｏ、ＮＲ）システム、又は後続の進化型通信システムのような様々な通信システムに用いることができることである。
【００１７】
本開示の実施例では、端末機器は、モバイルステーション（Ｍｏｂｉｌｅ  Ｓｔａｔｉｏｎ、ＭＳ）、モバイル端末（Ｍｏｂｉｌｅ  Ｔｅｒｍｉｎａｌ）、携帯電話（Ｍｏｂｉｌｅ  Ｔｅｌｅｐｈｏｎｅ）、ユーザ機器（Ｕｓｅｒ  Ｅｑｕｉｐｍｅｎｔ、ＵＥ）、ハンドセット（ｈａｎｄｓｅｔ）及び携帯機器（ｐｏｒｔａｂｌｅ  ｅｑｕｉｐｍｅｎｔ）、車両（ｖｅｈｉｃｌｅ）などを含んでもよいが、それらに限定されない。この端末機器は、無線アクセスネットワーク（Ｒａｄｉｏ  Ａｃｃｅｓｓ  Ｎｅｔｗｏｒｋ、ＲＡＮ）を介して１つ又は複数のコアネットワークと通信することができ、例えば、端末機器は、携帯電話（又は「セルラ」電話と呼ばれる）、無線通信機能を有するコンピュータなどであってもよく、端末機器は、携帯型、ポケット型、ハンドヘルド型、コンピュータ内蔵型、又は車載型のモバイル装置であってもよい。
【００１８】
本開示の実施例では、ネットワーク機器は、無線アクセスネットワークに配置されている、端末機器に無線通信機能を提供するための装置である。前記ネットワーク機器は、基地局であってもよく、前記基地局は、様々な形式のマクロ基地局、マイクロ基地局、中継局、アクセスポイント等を含んでもよい。異なる無線アクセス技術が採用されるシステムでは、基地局機能を持つ機器の名称は、異なる可能性がある。例えば、ＬＴＥネットワークでは、進化的ノードＢ（Ｅｖｏｌｖｅｄ  ＮｏｄｅＢ、ｅＮＢ又はｅＮｏｄｅＢ）と呼ばれるが、第３世代（３ｒｄ  Ｇｅｎｅｒａｔｉｏｎ、３Ｇ）ネットワークでは、ノードＢ（Ｎｏｄｅ  Ｂ）と呼ばれるが、又は後続の進化型通信システムでは、ネットワーク機器と呼ばれるが、これらの用語は制限を構成しない。
【００１９】
図１に示すように、本開示の一実施例は、端末機器によって実行可能な、サイドリンクの能力及びリソースの割り当てのための方法１００を提供する。この方法は、以下のステップを含む。
【００２０】
Ｓ１０２：前記端末機器の最大処理能力情報及び／又は最大割り当て可能なリソース情報を含む、サイドリンクの伝送の関連情報を取得する。
【００２１】
選択的に、上記関連情報は、
端末機器によってサポートされるハイブリッド自動再送リクエスト（Ｈｙｂｒｉｄ  Ａｕｔｏｍａｔｉｃ  Ｒｅｐｅａｔ  Ｒｅｑｕｅｓｔ、ＨＡＲＱ）エンティティの数、
端末機器によってサポートされるＨＡＲＱプロセスの数、
端末機器のソフトバッファサイズ、
端末機器によって単位時間内にモニタリング又は検出可能なターゲット情報（セカンダリリンク制御情報（Ｓｉｄｅｌｉｎｋ  Ｃｏｎｔｒｏｌ  Ｉｎｆｏｒｍａｔｉｏｎ、ＳＣＩ）、制御チャネル及び制御チャネル候補のうちの少なくとも１つを含む）、
端末機器によって処理がサポートされるデータレート、
端末機器の送信パワー、
端末機器によってサポートされる送受信搬送波の数（具体的には、端末機器によってサポートされる送信搬送波の数及び／又は受信搬送波の数であってもよく、後にも同様である）、
端末機器によってサポートされる送受信アンテナの数（具体的には、端末機器によってサポートされる送信アンテナの数及び／又は受信アンテナの数であってもよく、後にも同様である）、
端末機器によってサポートされる送受信ビームの数（具体的には、端末機器によってサポートされる送信ビームの数及び／又は受信ビームの数であってもよく、後にも同様である）、
端末機器によってサポートされる送受信リソースプールの数（具体的には、端末機器によってサポートされる送信リソースプールの数及び／又は受信リソースプールの数であってもよく、後にも同様である）、
端末機器によってサポートされる伝送モード（例えば、端末機器によってサポートされるＬＴＥ  ＳＬ及び／又はＮＲ  ＳＬ）、
端末機器によってサポートされるサイドリンク接続の数、及び
端末機器によって単位時間内にモニタリング又は復調可能なサブ搬送波幅（Ｓｕｂｃａｒｒｉｅｒ  Ｓｐａｃｉｎｇ、ＳＣＳ）の数など、のうちの少なくとも一つを含む。
【００２２】
Ｓ１０４：伝送配置を行う。
【００２３】
選択的に、このステップは、具体的には、上記関連情報に基づいて伝送配置を行ってもよく、すなわち、端末機器は、その最大処理能力情報及び／又は最大割り当て可能なリソース情報に基づいて伝送配置を行ってもよい。端末機器は、上記関連情報を考慮することなく、直接にサイドリンクの伝送に対して伝送配置を行ってもよい。
【００２４】
ステップＳ１０４では、伝送配置を行う時、具体的には、
１）サイドリンクの伝送の異なる伝送タイプの間で伝送配置を行い、例えば、端末機器がブロードキャスト、マルチキャスト／グループキャスト、又はユニキャストなどのような異なる伝送タイプの間で処理能力及びリソースを割り当てること、
２）サイドリンクの伝送の異なるリソースプールの間で伝送配置を行い、上記異なるリソースプールは、例えばデフォルト／初期／第１のリソースプール、ｅｘｃｅｐｔｉｏｎａｌリソースプール、専用リソースプールなどを含み、端末機器は、異なるリソースプールの間で処理能力及びリソースを割り当てることができること、
３）サイドリンクの伝送の異なる業務の間で伝送配置を行い、上記異なる業務は、例えば、セキュリティ類業務、基礎的なＶ２Ｘ業務、アドバンストＶ２Ｘ業務、周期的及び非周期的業務などを含み、端末機器は、異なる業務の間で処理能力及びリソースを割り当てることができること、
４）サイドリンクの伝送の異なる接続状態で伝送配置を行い、例えば、端末機器がサイドリンクの伝送（ユニキャスト又はグループキャスト）の接続を確立する時、このサイドリンク接続によって割り当てられる処理能力及びリソースをネゴシエーションし、また例えば、端末機器は、サイドリンクによってデータが伝送される時、このサイドリンクの伝送に使用される能力及びリソースを割り当て、さらに例えば、端末機器は、サイドリンクの伝送の接続中に、サイドリンクの伝送に使用される処理能力及びリソースを管理し、上記異なる接続状態で配置を行うことは、異なるユニキャスト接続の間で伝送配置を行うことを含むこと、
５）サイドリンクの伝送の異なる伝送モードの間で伝送配置を行い、例えば、端末機器がＬＴＥとＮＲとの間で処理能力及びリソースを割り当てること、及び
６）サイドリンクの伝送の異なる送受信ビームの間で伝送配置を行い、例えば、端末機器が異なるビームにおいて処理能力及びリソースを割り当て、これらの処理能力及びリソースは、具体的には、送受信搬送波の数、モニタリング又は検出されるターゲット情報の数又はパワーなどであってもよいこと、のうちの少なく１つを採用してもよい。
【００２５】
上記異なる伝送タイプ及び／又は異なる接続状態の伝送に使用される関連情報における能力及びリソースは、前記端末機器の最大処理能力情報及び最大割り当て可能なリソース情報を超えない。
【００２６】
本開示の実施例は、前記ステップＳ１０４の１つの具体的な実施形態をここで示した。理解すべきことは、ステップＳ１０４は、他の方式で実現されてもよく、本開示の実施例はそれを限定しないことである。
【００２７】
本開示の実施例によるサイドリンクの能力及びリソースの割り当てのための方法は、端末機器の最大処理能力情報及び／又は最大割り当て可能なリソース情報を取得し、且つ伝送配置を行うことができ、サイドリンクの伝送時、端末機器の処理能力又はリソースを割り当てることができ、それにより通信の有効性を向上させることができる。
【００２８】
それとともに、本開示の実施例によるサイドリンクの能力及びリソースの割り当てのための方法は、端末機器の処理能力及びリソースを柔軟かつ動的に割り当てることができ、複数の先進的なＳＬ伝送モードをサポートするとともに、端末機器の実現の複雑さ及び機器のコストを低減させることができる。
【００２９】
上記端末機器の実現の複雑さ及び機器のコストの低減に対して、関連技術では、ネットワーク機器と端末機器との間のＵｕインターフェース（すなわち、ｄｏｗｎｌｉｎｋとｕｐｌｉｎｋ）で、１つの端末機器は、１つのネットワーク機器とのユニキャスト接続を確立するだけでよい。したがって、１つの搬送波又はセル上で１つのＨＡＲＱエンティティ（ＨＡＲＱ  ｅｎｔｉｔｙ）を確立するだけでよい。単一のＨＡＲＱエンティティは、最大１６個のプロセスをサポートするため、端末機器は、相応なソフトバッファ（ｓｏｆｔ  ｂｕｆｆｅｒ）サイズを保留する必要がある。ＬＴＥ  ＳＬは、ブロードキャスト通信に基づくものであり、端末機器は、物理レイヤでポイントツーポイント接続を確立しておらず、１つの搬送波で１つのＨＡＲＱエンティティを確立するだけでよい。端末機器がＳＬで通信又は伝送を行う時、単一のＨＡＲＱエンティティは、最大８つのプロセスをサポートする。ＮＲ  ＳＬシステムにおいて、端末機器が他の複数の端末機器とのユニキャスト又はグループキャスト／マルチキャスト接続の確立をサポートする場合、関連技術に従って、端末機器は、相応なサービス品質（Ｑｕａｌｉｔｙ  ｏｆ  Ｓｅｒｖｉｃｅ、ＱｏＳ）要件を満たすことを確保するために、接続ごとにリソースを保留する必要がある。Ｕｕインターフェースと比べて、これは、端末機器の実現の複雑さとコストを大幅に向上させる。本開示の実施例によるサイドリンクの能力及びリソースの割り当てのための方法は、端末機器の処理能力及びリソースを柔軟かつ動的に割り当てることができ、複数の先進的なＳＬ伝送モードをサポートするとともに、端末機器の実現の複雑さ及び機器のコストを低減させることができる。
【００３０】
本開示の実施例によるサイドリンクの能力及びリソースの割り当てのための方法は、特定の公共セキュリティ事務（例えば火災場所又は地震などの災害場所での緊急通信）、又は車車間・路車間通信（ｖｅｈｉｃｌｅ  ｔｏ  ｅｖｅｒｙｔｈｉｎｇ、Ｖ２Ｘ）通信などに適用される。車車間・路車間通信には、例えば、基礎的なセキュリティ類通信、アドバンスト（自動）運転、編隊、センサ拡張及びアドバンストＶ２Ｘ業務などの様々な業務が含まれている。
【００３１】
本開示の実施例によるサイドリンクの能力及びリソースの割り当てのための方法は、８０２．１１ｐ、専用短距離通信（Ｄｅｄｉｃａｔｅｄ  Ｓｈｏｒｔ  Ｒａｎｇｅ  Ｃｏｍｍｕｎｉｃａｔｉｏｎｓ、ＤＳＲＣ）などのシステムに適用できるだけでなく、さらに後続の進化型システムに適用できる。
【００３２】
選択的に、上記実施例のＳ１０２において、サイドリンクの伝送の関連情報を取得すると、端末機器は、ネットワーク機器が伝送配置又はスケジューリングを行うように、上記関連情報をネットワーク機器に送信してもよい。
【００３３】
又は、端末機器は、前記ターゲット端末機器が伝送配置又はスケジューリングを行うように、前記関連情報をターゲット端末機器に送信してもよい。
【００３４】
選択的に、上記実施例のステップＳ１０４における、伝送配置を行うことは、
サイドリンクの伝送の接続を確立する時、サイドリンクの伝送に使用される関連情報をネゴシエーションすること、
サイドリンクによってデータが伝送される時、サイドリンクの伝送に使用される関連情報を割り当てること、及び
サイドリンクの伝送の接続中に、サイドリンクの伝送に使用される関連情報を管理すること、のうちの少なく１つを含む。
【００３５】
ここで言及された伝送配置方式は、主に伝送配置を行う実行タイミングを説明するものであり、前文の実施例において言及された１）−６）の計６つの伝送配置方式と自由に組み合わせることができる。
【００３６】
選択的に、上述した、サイドリンクの伝送に使用される関連情報をネゴシエーションすることは、サイドリンクの伝送に使用される関連情報を送信することを含む。例えば、端末機器は、サイドリンクの伝送を確立するリクエスト情報を発起する時、このサイドリンクと最大の処理能力及びリソースとの接続を推奨する。具体的には、上記リクエスト情報には、端末機器によって推奨される、このサイドリンクと最大の処理能力及びリソースとの接続が含まれてもよい。これにより、上記端末機器の対向端機器は、リクエスト情報を受信すると、その関連情報に基づき、上記リクエスト情報を承認してもよく、又は、その関連情報の利用可能な値が足りない場合、この接続に対応する最大の処理能力及びリソースをネゴシエーションし、又は上記リクエスト情報を拒否してもよい。
【００３７】
選択的に、上述した、サイドリンクの伝送に使用される関連情報をネゴシエーションすることは、対向端機器によって推奨される、サイドリンクの伝送に使用される関連情報を含む、サイドリンクの伝送を確立するためのリクエスト情報を受信すること、およびこのリクエスト情報に応答することをさらに含んでもよい。
【００３８】
具体的には、端末機器は、対向端機器のリクエスト情報に応答する時、この接続に対応する最大の処理能力及びリソースをネゴシエーション、フィードバック、又は応答することができる。上述した、リクエスト情報に応答することは、前記対向端機器とのサイドリンク接続を確立すること、又は、端末機器の関連情報の利用可能な値が足りない場合、前記対向端機器とのサイドリンク接続の確立を拒否することを含む。
【００３９】
選択的に、上記実施例のステップＳ１０４における、伝送配置を行うことは、サイドリンクの伝送の接続を確立する時、又は、前記サイドリンクによってデータが伝送される時、第１のターゲットサービス品質（Ｑｕａｌｉｔｙ  ｏｆ  Ｓｅｒｖｉｃｅ、ＱｏＳ）情報及び／又は無線リソース情報に基づき、サイドリンクの伝送に使用される関連情報を特定することを含む。上記無線リソース情報は、例えば、チャネル占有率、無線チャネル干渉などを含む。
【００４０】
選択的に、上述した、サイドリンクの伝送に使用される関連情報を管理することは、サイドリンクの伝送に使用される関連情報の全てをアクティブ化又は非アクティブ化すること、又は、前記サイドリンクの伝送に使用される関連情報における一部をアクティブ化又は非アクティブ化することを含む。それによって、端末機器は、複数の接続の間で処理能力及びリソースを動的に共有することができる。
【００４１】
選択的に、上述した、サイドリンクの伝送に使用される関連情報を管理することは、サイドリンクの伝送に使用される関連情報を再割り当て又は再ネゴシエーションすることをさらに含んでもよい。具体的には、端末機器は、業務需要情報及び第２のターゲットサービス品質情報ＱｏＳのうちの少なくとも１つに基づき、サイドリンクの伝送に使用される関連情報を再割り当て又は再ネゴシエーションすることができる。具体的には、端末機器は、より多くの処理能力及びリソースをリクエストすることができる。
【００４２】
本開示によるサイドリンクの能力及びリソースの割り当てのための方法を詳細に説明するために、以下では、３つの具体的な実施例を結び付けて説明する。
【００４３】
実施例１：
ＵＥ１は、サイドリンクの伝送の関連情報を取得することにより、最大３２個のＨＡＲＱプロセスをサポートし、単位時間内に最大４０個の制御チャネルの検出をサポートすることを決定する。
【００４４】
ＵＥ２は、サイドリンクの伝送の関連情報を取得することにより、最大１６個のＨＡＲＱプロセスをサポートし、単位時間内に最大１０個の制御チャネルの検出をサポートすることを決定する。
【００４５】
選択的に、伝送配置を行う時、ＵＥ１とＵＥ２は、ブロードキャストのためにそれぞれ２つのＨＡＲＱプロセスを割り当ててもよい。
【００４６】
選択的に、伝送配置を行う時、ＵＥ１とＵＥ２は、グループキャストのためにそれぞれ２つのＨＡＲＱプロセスを割り当ててもよい。
【００４７】
選択的に、伝送配置を行う時、ＵＥ１とＵＥ２は、ＳＬユニキャスト接続を確立し、且つサービス品質ＱｏＳに基づき、処理能力及びリソースの割り当てをネゴシエーションしてもよい。具体的には以下のとおりである。
【００４８】
ａ）ＵＥ１は、リクエスト情報をＵＥ２に送信して、ＳＬユニキャスト接続の確立をリクエストしてもよい。このリクエスト情報は、使用が推奨されるＨＡＲＱプロセス及び制御チャネルの検出数を含み、例えば、ＵＥ１は、１６個のＨＡＲＱプロセス及び２０個の制御チャネルの検出数を使用することを推奨する。
【００４９】
ｂ）ＵＥ２は、ＵＥ１のリクエスト情報に応答し、ＨＡＲＱプロセスが８つとなり（例えば、ＵＥ２が現在では、すでに他のＵＥとのユニキャスト接続を確立しているためである）及び制御チャネルの検出数が４つとなるようにネゴシエーションすることにより、ＵＥ１がＵＥ２とのＳＬユニキャスト接続を確立するＨＡＲＱプロセスは、８つとなり、制御チャネルの検出数は、４つとなる。
【００５０】
選択的に、ＵＥ１とＵＥ２の後続の伝送時、ＱｏＳが変更した（例えば、アプリケーションレイヤの業務に必要がある）ため、ＵＥ２は、ＵＥ１へ、サイドリンク接続によって割り当てられる処理能力及びリソースの再割り当て又は再ネゴシエーションを発起してもよい。例えば、ＵＥ２は、ＨＡＲＱプロセスを１２個に修正することをリクエストする。それに応じて、ＵＥ１は、ＵＥ２の修正リクエストを承認してもよい。
【００５１】
本開示の実施例によるサイドリンクの能力及びリソースの割り当てのための方法は、端末機器の処理能力及びリソースを柔軟かつ動的に割り当てることができ、複数の先進的なＳＬ伝送モードをサポートするとともに、端末機器の実現の複雑さ及び機器のコストを低減させることができる。
【００５２】
なお、本実施例１では、ＨＡＲＱプロセスと制御チャネルの検出数のみを例として端末機器の処理能力及びリソースを説明するが、端末機器の他の処理能力及びリソースについても同様に適用される。
【００５３】
実施例２：
ＵＥ１は、サイドリンクの伝送の関連情報を取得することにより、最大３２個のＨＡＲＱプロセスをサポートし、単位時間内に最大４０個の制御チャネルの検出をサポートすることを決定する。
ＵＥ２は、サイドリンクの伝送の関連情報を取得することにより、最大８個のＨＡＲＱプロセスをサポートし、単位時間内に最大１０個の制御チャネルの検出をサポートすることを決定する。
【００５４】
選択的に、ＵＥ１とＵＥ２は、ネットワーク機器が伝送配置又はスケジューリングを行うように、そのサポートされるＳＬ  ＨＡＲＱプロセスの数及び制御チャネルの検出数をネットワーク機器に報告してもよい。
【００５５】
例えば、ＵＥ１は、ＵＥ２とのＳＬユニキャスト接続を確立するようにリクエストするリクエスト情報をネットワーク機器に送信してもよい。
【００５６】
ネットワーク機器は、ＳＬの送受信のために、ＵＥ１とＵＥ２に対してリソースを割り当て且つスケジューリングして、ＵＥ１とＵＥ２の最大処理能力及びリソースを超えないことを確保する。
【００５７】
具体的には、例えば、ネットワーク機器によってＵＥ１とＵＥ２に対して割り当てられるパラレル伝送ＨＡＲＱプロセスは、ＵＥ１とＵＥ２によってサポートされる最大のＨＡＲＱプロセスの数を超えず、ＵＥ１とＵＥ２によってモニタリングされるＳＬ制御チャネル数は、そのサポートされる最大の制御チャネルの検出数を超えない。
【００５８】
本開示の実施例によるサイドリンクの能力及びリソースの割り当てのための方法は、端末機器の処理能力及びリソースを柔軟かつ動的に割り当てることができ、複数の先進的なＳＬ伝送モードをサポートするとともに、端末機器の実現の複雑さ及び機器のコストを低減させることができる。
【００５９】
なお、本実施例２では、ＨＡＲＱプロセスと制御チャネルの検出のみを例として端末機器の処理能力及びリソースを説明するが、端末機器の他の処理能力及びリソースについても同様に適用される。
【００６０】
また、本実施例２は、ネットワーク機器をスケジューリングノードとする。実施例２は、別のＵＥ（ＵＥ３）がＵＥ１とＵＥ２に対してリソースの割り当てとスケジューリングを行うシナリオにも適用される。
【００６１】
実施例３：
ＵＥ１は、サイドリンクの伝送の関連情報を取得することにより、最大３２個のＨＡＲＱプロセスをサポートし、単位時間内に最大４０個の制御チャネルの検出をサポートすることを決定する。
【００６２】
ＵＥ２は、サイドリンクの伝送の関連情報を取得することにより、最大１６個のＨＡＲＱプロセスをサポートし、単位時間内に最大２０個の制御チャネルの検出をサポートすることを決定する。
【００６３】
選択的に、伝送配置を行う時、ＵＥ１とＵＥ２は、ＳＬユニキャスト接続を確立し、且つＱｏＳに基づき、処理能力及びリソースの割り当てをネゴシエーションし、このユニキャスト接続には、１６個のＨＡＲＱプロセス及び１６個の制御チャネルの検出数が割り当てられている。
【００６４】
選択的に、ＵＥ２は、そのＨＡＲＱプロセスの数及び／又は制御チャネルの検出数を動的に調整してもよい。例えば、ＵＥ２は、４つのＨＡＲＱプロセス及び４つの制御チャネルの検出数を非アクティブ化し、他のブロードキャスト伝送のために一時的に割り当ててもよい。
【００６５】
選択的に、後続のＵＥ２は、このユニキャスト接続の４つのＨＡＲＱプロセス及び４つの制御チャネルの検出数を再アクティブ化してもよい。
【００６６】
本開示の実施例によるサイドリンクの能力及びリソースの割り当てのための方法は、端末機器の処理能力及びリソースを柔軟かつ動的に割り当てることができ、複数の先進的なＳＬ伝送モードをサポートするとともに、端末機器の実現の複雑さ及び機器のコストを低減させることができる。
【００６７】
なお、本実施例３では、ＨＡＲＱプロセスと制御チャネルの検出のみを例として端末機器の処理能力及びリソースを説明するが、端末機器の他の処理能力及びリソースについても同様に適用される。
【００６８】
図２に示すように、本開示の一実施例は、サイドリンクの能力及びリソースの割り当てのための方法２００を提供する。この方法は、制御機器によって実行されてもよい。本開示の実施例に言及された制御機器は、具体的には、ネットワーク機器であってもよく、端末機器であってもよく、この実施例は、以下のようなステップを含む。
Ｓ２０２：端末機器の最大処理能力情報及び／又は最大割り当て可能なリソース情報を含む、サイドリンクの伝送の関連情報を受信する。
上記関連情報は、図１に示された実施例に言及された端末機器に由来してもよい。
Ｓ２０４：前記端末機器に対して伝送配置又はスケジューリングを行う。
そのうち、割り当てられ又はスケジューリングされるリソースは、端末機器によって最大にサポートされる処理能力及びリソースを超えない。
【００６９】
本開示の実施例の他の説明については、端末機器側の記述を参照してもよく、前文の実施例２を参照してもよい。
【００７０】
本開示の実施例によるサイドリンクの能力及びリソースの割り当てのための方法は、端末機器の最大処理能力情報及び／又は最大割り当て可能なリソース情報を取得し、且つ伝送配置を行うことができ、サイドリンクの伝送時、端末機器の処理能力又はリソースを割り当てることができ、それにより通信の有効性を向上させることができる。
【００７１】
選択的に、上記関連情報は、
端末機器によってサポートされるＨＡＲＱエンティティの数、
端末機器によってサポートされるＨＡＲＱプロセスの数、
端末機器のソフトバッファサイズ、
端末機器によって単位時間内にモニタリング又は検出可能なターゲット情報（セカンダリリンク制御情報（Ｓｉｄｅｌｉｎｋ  Ｃｏｎｔｒｏｌ  Ｉｎｆｏｒｍａｔｉｏｎ、ＳＣＩ）、制御チャネル及び制御チャネル候補のうちの少なくとも１つを含む）、
端末機器によって処理がサポートされるデータレート、
端末機器の送信パワー、
端末機器によってサポートされる送受信搬送波の数、
端末機器によってサポートされる送受信アンテナの数、
端末機器によってサポートされる送受信ビームの数、
端末機器によってサポートされる送受信リソースプールの数、
端末機器によってサポートされる伝送モード（例えば、端末機器によってサポートされるＬＴＥ  ＳＬ及び／又はＮＲ  ＳＬ）、
端末機器によってサポートされるサイドリンク接続の数、及び
端末機器によって単位時間内にモニタリング又は復調可能なサブ搬送波幅ＳＣＳの数など、のうちの少なくとも１つを含む。
【００７２】
以上では、図１と図２を結び付けて本開示の実施例によるサイドリンクの能力及びリソースの割り当てのための方法を詳細に説明した。以下では、図３を結び付けて本開示の実施例による端末機器を詳細に説明する。
【００７３】
図３は、本開示の実施例による端末機器の構造概略図である。図３に示すように、端末機器３００は、
前記端末機器の最大処理能力情報及び／又は最大割り当て可能なリソース情報を含む、サイドリンクの伝送の関連情報を取得するために用いることができる取得モジュール３０２と、
伝送配置を行うために用いることができる伝送配置モジュール３０４とを含む。
【００７４】
本開示の実施例による端末機器は、その最大処理能力情報及び／又は最大割り当て可能なリソース情報を取得し、且つ伝送配置を行うことができ、サイドリンクの伝送時、処理能力又はリソースを割り当てることができ、それにより通信の有効性を向上させることができる。
【００７５】
本開示の実施例による端末機器は、端末機器の処理能力及びリソースを柔軟かつ動的に割り当てることができ、複数の先進的なＳＬ伝送モードをサポートするとともに、端末機器の実現の複雑さ及び機器のコストを低減させることができる。
【００７６】
選択的に、一実施例として、上記関連情報は、
端末機器によって処理がサポートされるデータレート、
端末機器の送信パワー、
端末機器によってサポートされる送受信搬送波の数、
端末機器によってサポートされる送受信アンテナの数、
端末機器によってサポートされる送受信ビームの数、
端末機器によってサポートされる送受信リソースプールの数、
端末機器によってサポートされる伝送モード（例えば、端末機器によってサポートされるＬＴＥ  ＳＬ及び／又はＮＲ  ＳＬ）、
端末機器によってサポートされるサイドリンク接続の数、及び
端末機器によって単位時間内にモニタリング又は復調可能なサブ搬送波幅ＳＣＳの数など、のうちの少なくとも１つを含む。
【００７７】
選択的に、一実施例として、伝送配置モジュール３０４が伝送配置を行うことは、
前記サイドリンクの伝送の異なる伝送タイプの間で伝送配置を行い、例えば、端末機器がブロードキャスト、マルチキャスト／グループキャスト、又はユニキャストなどのこれらの異なる伝送タイプの間で処理能力及びリソースを割り当てること、
前記サイドリンクの伝送の異なるリソースプールの間で伝送配置を行い、上記異なるリソースプールは、例えばデフォルト／初期／第１のリソースプール、ｅｘｃｅｐｔｉｏｎａｌリソースプール、専用リソースプールなどを含み、端末機器は、異なるリソースプールの間で処理能力及びリソースを割り当てることができること、
前記サイドリンクの伝送の異なる業務の間で伝送配置を行い、上記異なる業務は、例えば、セキュリティ類業務、基礎的なＶ２Ｘ業務、アドバンストＶ２Ｘ業務、周期的及び非周期的業務などを含み、端末機器は、すなわち異なる業務の間で処理能力及びリソースを割り当てることができること、
前記サイドリンクの伝送の異なる接続状態で伝送配置を行い、例えば、端末機器がサイドリンクの伝送（ユニキャスト又はグループキャスト）の接続を確立する時、このサイドリンク接続によって割り当てられる処理能力及びリソースをネゴシエーションし、また例えば、端末機器は、サイドリンクによってデータが伝送される時、このサイドリンクの伝送に使用される能力及びリソースを割り当て、さらに例えば、端末機器は、サイドリンクの伝送の接続中に、サイドリンクの伝送に使用される処理能力及びリソースを管理し、上記異なる接続状態で配置を行うことは、異なるユニキャスト接続の間で伝送配置を行うことを含むこと、
サイドリンクの伝送の異なる伝送モードの間で伝送配置を行い、例えば、端末機器がＬＴＥとＮＲとの間で処理能力及びリソースを割り当てること、及び
サイドリンクの伝送の異なる送受信ビームの間で伝送配置を行い、例えば、端末機器が異なるビームにおいて処理能力及びリソースを割り当て、これらの処理能力及びリソースは、具体的には、送受信搬送波の数、モニタリング又は検出されるターゲット情報の数又はパワーなどであってもよいこと、のうちの少なくとも１つを含む。
【００７８】
選択的に、一実施例として、伝送配置モジュール３０４が伝送配置を行うことは、
前記サイドリンクの伝送の接続を確立する時、前記サイドリンクの伝送に使用される関連情報をネゴシエーションすること、
前記サイドリンクによってデータが伝送される時、前記サイドリンクの伝送に使用される関連情報を割り当てること、及び
前記サイドリンクの伝送の接続中に、前記サイドリンクの伝送に使用される関連情報を管理すること、のうちの少なく１つを含む。
【００７９】
選択的に、一実施例として、伝送配置モジュール３０４が前記サイドリンクの伝送に使用される関連情報をネゴシエーションすることは、
前記サイドリンクの伝送に使用される関連情報を送信することを含む。例えば、端末機器は、サイドリンクの伝送を確立するリクエスト情報を発起する時、このサイドリンクと最大の処理能力及びリソースとの接続を推奨する。具体的には、上記リクエスト情報には、端末機器によって推奨される、このサイドリンクと最大の処理能力及びリソースとの接続が含まれてもよい。これにより、上記端末機器の対向端機器は、リクエスト情報を受信すると、その関連情報に基づき、上記リクエスト情報を承認してもよく、又は、その関連情報の利用可能な値が足りない場合、上記リクエスト情報を拒否してもよい。
【００８０】
選択的に、一実施例として、伝送配置モジュール３０４が前記サイドリンクの伝送に使用される関連情報をネゴシエーションすることは、対向端機器によって推奨される、前記サイドリンクの伝送に使用される関連情報を含む、前記サイドリンクの伝送を確立するためのリクエスト情報を受信すること、および前記リクエスト情報に応答することを含む。
【００８１】
具体的には、端末機器は、対向端機器のリクエスト情報に応答する時、この接続に対応する最大の処理能力及びリソースをネゴシエーション、フィードバック、又は応答することができる。上述した、リクエスト情報に応答することは、前記対向端機器とのサイドリンク接続を確立すること、又は、端末機器の関連情報の利用可能な値が足りない場合、前記対向端機器とのサイドリンク接続の確立を拒否することを含む。
【００８２】
選択的に、一実施例として、伝送配置モジュール３０４が前記リクエスト情報に応答することは、
前記対向端機器とのサイドリンク接続の確立を拒否すること、又は
前記対向端機器とのサイドリンク接続を確立することを含む。
【００８３】
選択的に、一実施例として、伝送配置モジュール３０４が伝送配置を行うことは、
前記サイドリンクの伝送の接続を確立する時、又は、前記サイドリンクによってデータが伝送される時、第１のターゲットサービス品質情報及び／又は無線リソース情報に基づき、前記サイドリンクの伝送に使用される関連情報を特定することを含む。上記無線リソース情報は、例えば、チャネル占有率、無線チャネル干渉などを含む。
【００８４】
選択的に、一実施例として、伝送配置モジュール３０４が前記サイドリンクの伝送に使用される関連情報を管理することは、
前記サイドリンクの伝送に使用される関連情報の全てをアクティブ化又は非アクティブ化すること、又は
前記サイドリンクの伝送に使用される関連情報における一部をアクティブ化又は非アクティブ化することを含む。これにより、端末機器は、複数の接続の間で処理能力及びリソースを動的に共有することができる。
【００８５】
選択的に、一実施例として、伝送配置モジュール３０４が前記サイドリンクの伝送に使用される関連情報を管理することは、
前記サイドリンクの伝送に使用される関連情報を再割り当て又は再ネゴシエーションすることを含む。
【００８６】
選択的に、一実施例として、伝送配置モジュール３０４が前記サイドリンクの伝送に使用される関連情報を再割り当て又は再ネゴシエーションすることは、
業務需要情報及び第２のターゲットサービス品質情報のうちの少なくとも１つに基づき、前記サイドリンクの伝送に使用される関連情報を再割り当て又は再ネゴシエーションすることを含む。具体的には、端末機器は、より多くの処理能力及びリソースをリクエストすることができる。
【００８７】
選択的に、一実施例として、端末機器２００は、送信モジュールをさらに含み、それは、
前記ネットワーク機器が伝送配置又はスケジューリングを行うように、前記関連情報をネットワーク機器に送信し、又は
前記ターゲット端末機器が伝送配置又はスケジューリングを行うように、前記関連情報をターゲット端末機器に送信するために用いることができる。
【００８８】
選択的に、一実施例として、異なる前記伝送タイプ及び／又は異なる接続状態で伝送に使用される関連情報における能力及びリソースは、前記端末機器の最大処理能力情報及び最大割り当て可能なリソース情報を超えない。
【００８９】
本開示の実施例による端末機器３００は、本開示の実施例に対応する方法１００のフローを参照してよい。そして、この端末機器３００における各ユニット／モジュール及び上記他の操作及び／又は機能は、方法１００における相応なフローをそれぞれ実現するためのものである。簡潔にするために、ここでは再度言及しない。
【００９０】
図４は、本開示の実施例による制御機器の構造概略図である。図４に示すように、制御機器４００は、
端末機器の最大処理能力情報及び／又は最大割り当て可能なリソース情報を含む、サイドリンクの伝送の関連情報を受信するために用いることができる受信モジュール４０２と、
前記端末機器に対して伝送配置又はスケジューリングを行うために用いることができる伝送配置モジュール４０４とを含む。
【００９１】
そのうち、割り当てられ又はスケジューリングされるリソースは、端末機器によって最大にサポートされる処理能力及びリソースを超えてはならない。
【００９２】
本開示の実施例による制御機器は、端末機器の最大処理能力情報及び／又は最大割り当て可能なリソース情報を取得し、且つ伝送配置を行うことができ、サイドリンクの伝送時、端末機器の処理能力又はリソースを割り当てることができ、それにより通信の有効性を向上させることができる。
【００９３】
選択的に、一実施例として、上記関連情報は、
端末機器によってサポートされるＨＡＲＱエンティティの数、
端末機器によってサポートされるＨＡＲＱプロセスの数、
端末機器のソフトバッファサイズ、
端末機器によって単位時間内にモニタリング又は検出可能なターゲット情報（ＳＣＩ、制御チャネル及び制御チャネル候補のうちの少なくとも１つを含む）、
端末機器によって処理がサポートされるデータレート、
端末機器の送信パワー、
端末機器によってサポートされる送受信搬送波の数、
端末機器によってサポートされる送受信アンテナの数、
端末機器によってサポートされる送受信ビームの数、
端末機器によってサポートされる送受信リソースプールの数、
端末機器によってサポートされる伝送モード（例えば、端末機器によってサポートされるＬＴＥ  ＳＬ及び／又はＮＲ  ＳＬ）、
端末機器によってサポートされるサイドリンク接続の数、及び
端末機器によって単位時間内にモニタリング又は復調可能なサブ搬送波幅ＳＣＳの数など、のうちの少なくとも１つを含む。
【００９４】
本開示の実施例による制御機器４００は、本開示の実施例に対応する方法２００のフローを参照してよい。そして、この制御機器４００における各ユニット／モジュール及び上記他の操作及び／又は機能は、方法２００における相応なフローをそれぞれ実現するためのものである。簡潔にするために、ここでは再度言及しない。
【００９５】
図５は、本開示の別の実施例による端末機器のブロック図である。図５に示された端末機器５００は、少なくとも１つのプロセッサ５０１と、メモリ５０２と、少なくとも１つのネットワークインターフェース５０４と、ユーザインターフェース５０３とを含む。端末機器５００における各コンポーネントは、バスシステム５０５を介して互いに結合される。理解できることは、バスシステム５０５は、これらのコンポーネント間の接続通信を実現するために用いられる。バスシステム５０５は、データバスのほか、電源バスと、制御バスと、状態信号バスとをさらに含む。しかしながら、明確に説明するために、図５には、様々なバスをバスシステム５０５として記載する。
【００９６】
そのうち、ユーザインターフェース５０３は、ディスプレイ、キーボード、クリックデバイス（例えば、マウス、トラックボール（ｔｒａｃｋｂａｌｌ））、タッチパッド、又はタッチスクリーンなどを含んでもよい。
【００９７】
理解すべきことは、本開示の実施例におけるメモリ５０２は、揮発性メモリ又は不揮発性メモリであってもよく、又は揮発性メモリと不揮発性メモリの両方を含んでもよいことである。そのうち、不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能プログラマブル読み取り専用メモリ（Ｅｒａｓａｂｌｅ  ＰＲＯＭ、ＥＰＲＯＭ）、電気的消去可能プログラマブル読み取り専用メモリ（Ｅｌｅｃｔｒｉｃａｌｌｙ  ＥＰＲＯＭ、ＥＥＰＲＯＭ）又はフラッシュメモリであってもよい。揮発性メモリは、外部キャッシュとして使用するランダムアクセスメモリ（Ｒａｎｄｏｍ  Ａｃｃｅｓｓ  Ｍｅｍｏｒｙ、ＲＡＭ）であってもよい。例示的であるが、限定的ではない説明により、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲＳＤＲＡＭ）、拡張型同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈｌｉｎｋ  ＤＲＡＭ、ＳＬＤＲＡＭ）、及びダイレクトランバスランダムアクセスメモリ（Ｄｉｒｅｃｔ  Ｒａｍｂｕｓ  ＲＡＭ、ＤＲＲＡＭ）のような多くの形式のＲＡＭが使用可能である。本開示の実施例で記述されたシステム及び方法のメモリ５０２は、これら及び任意の他の適切なタイプのメモリを含むが、それらに限定されないことを意図する。
【００９８】
いくつかの実施形態では、メモリ５０２には、実行可能なモジュール又はデータ構造、又はそれらのサブセット、又は、それらの拡張セット（オペレーティングシステム５０２１及びアプリケーションプログラム５０２２）のような要素が記憶されている。
【００９９】
そのうち、オペレーティングシステム５０２１は、様々な基礎的な業務の実現及びハードウェアに基づくタスクの処理のための、フレームワークレイヤ、コアライブラリレイヤ、ドライブレイヤなどの様々なシステムプログラムを含む。アプリケーションプログラム５０２２は、様々なアプリケーション業務を実現するための、メディアプレーヤ（Ｍｅｄｉａ  Ｐｌａｙｅｒ）、ブラウザ（Ｂｒｏｗｓｅｒ）などの様々なアプリケーションプログラムを含む。本開示の実施例の方法を実現するプログラムは、アプリケーションプログラム５０２２に含まれてもよい。
【０１００】
本開示の実施例では、端末機器５００は、メモリ５０２に記憶されており、且つプロセッサ５０１上で運行できるコンピュータプログラムをさらに含み、コンピュータプログラムがプロセッサ５０１によって実行される時、方法の実施例１００又は方法の実施例２００のようなステップを実現する。
【０１０１】
上記本開示の実施例によって開示された方法は、プロセッサ５０１に用いられてもよく、又はプロセッサ５０１によって実現されてもよい。プロセッサ５０１は、信号の処理能力を有する集積回路チップであってもよい。実現過程において、上記方法の各ステップは、プロセッサ５０１におけるハードウェアの集積論理回路又はソフトウェアの形式の指令によって完了してもよい。上記プロセッサ５０１は、汎用プロセッサ、デジタル信号プロセッサ（Ｄｉｇｉｔａｌ  Ｓｉｇｎａｌ  Ｐｒｏｃｅｓｓｏｒ、ＤＳＰ）、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブル論理デバイス、ディスクリートゲート又はトランジスタ論理デバイス、ディスクリートハードウェアコンポーネントであってもよい。本開示の実施例において開示された各方法、ステップ、及び論理ブロック図を、実現又は実行することができる。汎用プロセッサは、マイクロプロセッサであってもよく、又は、このプロセッサは、任意の通常のプロセッサなどであってもよい。本開示の実施例に開示された方法を結び付けるステップは、ハードウェア復号プロセッサによって実行されて完了するか、又は、復号プロセッサにおけるハードウェア及びソフトウェアモジュールによって組み合わせて実行されて完了すると直接的に具現化することができる。ソフトウェアモジュールは、ランダムメモリ、フラッシュメモリ、読み取り専用メモリ、プログラマブル読み取り専用メモリ、又は電気的消去可能プログラマブル読み取り専用メモリ、レジスタ等の当技術分野で成熟したコンピュータ可読記憶媒体に位置してもよい。このコンピュータ可読記憶媒体は、メモリ５０２に位置し、プロセッサ５０１は、メモリ５０２における情報を読み取り、そのハードウェアを結び付けて上記方法のステップを完了する。具体的には、このコンピュータ可読記憶媒体にはコンピュータプログラムが記憶されており、コンピュータプログラムがプロセッサ５０１に実行される時、上記方法の実施例１００又は方法の実施例２００の各ステップを実現する。
【０１０２】
理解できることは、本開示の実施例に記述されたこれらの実施例は、ハードウェア、ソフトウェア、ファームウェア、ミドルウェア、マイクロコード、又はそれらの組み合わせで実現されてもよい。ハードウェアの実現に対して、処理ユニットは、１つ又は複数の専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタル信号プロセッサ（Ｄｉｇｉｔａｌ  Ｓｉｇｎａｌ  Ｐｒｏｃｅｓｓｉｎｇ、ＤＳＰ）、デジタル信号処理機器（ＤＳＰ  Ｄｅｖｉｃｅ、ＤＳＰＤ）、プログラマブル論理機器（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本開示に記載の機能を実行するための他の電子ユニット、又はそれらの組み合わせに実現されてもよい。
【０１０３】
ソフトウェアの実現に対して、本開示の実施例に記載の技術は、本開示の実施例に記載の機能のモジュール（例えば、プロセス、関数など）を実行することによって実現されてもよい。ソフトウェアコードは、メモリに記憶され、且つプロセッサを介して実行されてもよい。メモリは、プロセッサにおいて、又は、プロセッサの外部に実行されてもよい。
【０１０４】
端末機器５００は、前記実施例において端末機器によって実現される様々な過程を実現することができる。重複を避けるために、ここでは再度言及しない。
【０１０５】
図６は、本開示の実施例に用いられるネットワーク機器の構造図であり、方法の実施例２００の詳細を実現し、且つ、同様の効果を達成することができる。図６に示すように、ネットワーク機器６００は、プロセッサ６０１と、送受信機６０２と、メモリ６０３と、バスインターフェースとを含み、そのうち、
本開示の実施例では、ネットワーク機器６００は、メモリ６０３に記憶されており、且つプロセッサ６０１上で運行できるコンピュータプログラムをさらに含み、コンピュータプログラムがプロセッサ６０１によって実行される時、方法２００のステップを実現する。
【０１０６】
図６では、バスアーキテクチャは、任意の数の相互接続されたバス及びブリッジを含んでもよい。具体的には、プロセッサ６０１によって代表される１つ又は複数のプロセッサ、及びメモリ６０３によって代表されるメモリの様々な回路によってリンクされる。バスアーキテクチャは、周辺機器、電圧調整器及びパワー管理回路などの他の様々な回路をリンクしてもよい。それは、当技術分野でよく知っているものであるので、本明細書ではこれ以上記述しない。バスインターフェースは、インターフェースを提供する。送受信機６０２は、複数のコンポーネントであってもよく、すなわち送信機及び受信機を含んでもよい。伝送媒体で他の様々な装置と通信するためのユニットを提供する。
【０１０７】
プロセッサ６０１は、バスアーキテクチャ及び通常の処理を管理する役割を担っており、メモリ６０３は、プロセッサ６０１が操作を実行する時に使用するデータを記憶してもよい。
【０１０８】
本開示の実施例は、コンピュータ可読記憶媒体をさらに提供する。コンピュータ可読記憶媒体にはコンピュータプログラムが記憶されており、このコンピュータプログラムがプロセッサによって実行される時、上記方法の実施例１００又は方法の実施例２００の各過程を実現し、且つ同様の技術的効果を達することができ、重複を避けるために、ここでは再度言及しない。そのうち、前記コンピュータ可読記憶媒体は、例えば、読み取り専用メモリ（Ｒｅａｄ−Ｏｎｌｙ  Ｍｅｍｏｒｙ、ＲＯＭと略称される）、ランダムアクセスメモリ（Ｒａｎｄｏｍ  Ａｃｃｅｓｓ  Ｍｅｍｏｒｙ、ＲＡＭと略称される）、磁気ディスク又は光ディスクなどである。
【０１０９】
なお、本明細書における用語である「含む」、「包含する」及びそれらの任意の他の変形は、非排除性の「含む」を意図的にカバーするものであり、それによって、一連の要素を含むプロセス、方法、製品又は装置は、それらの要素を含むだけでなく、明瞭にリストされていない他の要素、又はこのようなプロセス、方法、製品又は装置に固有の他の要素も含む。これ以上の制限がない限り、「・・・を１つ含む」という語句で限定された要素は、この要素を含むプロセス、方法、製品又は装置に別の同一の要素が存在することが排除されていない。
【０１１０】
以上の実施形態の記述によって、当業者は、上記実施例の方法が、ソフトウェアと必要となる汎用ハードウェアプラットフォームの方式で実現されてもよく、ハードウェアによって実施されてもよいが、多くの場合では、前者の方がより優れた実施形態であることを明確に理解することができる。このような理解に基づき、本開示の技術案は、本質的には、又は従来の技術に寄与する部分は、ソフトウェア製品の形式で具現化することができる。このコンピュータソフトウェア製品は、記憶媒体（例えばＲＯＭ／ＲＡＭ、磁気ディスク、光ディスク）に記憶されており、端末（携帯電話、コンピュータ、サーバ、空調機、又はネットワーク機器などであってもよい）に本開示の各実施例に記載の方法を実行させるための若干の指令を含む。
【０１１１】
以上では、添付図面を結び付けて本開示の実施例を記述したが、本開示は、上述した具体的な実施形態に限定されるものではなく、上述した具体的な実施形態は、例示的なものに過ぎず、限定的なものではない。当業者は、本開示の示唆で、本開示の精神及び特許請求の範囲から逸脱することなく、様々な変形を行うことができ、それらは、いずれも本開示の保護範囲内に属する。
【図１】
2022502942.tif 000003
【図２】
2022502942.tif 000004
【図３】
2022502942.tif 000005
【図４】
2022502942.tif 000006
【図５】
2022502942.tif 000007
【図６】
2022502942.tif 000008
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
端末機器によって実行される、サイドリンクの能力及びリソースの割り当てのための方法であって、
前記端末機器の最大処理能力情報及び／又は最大割り当て可能なリソース情報を含む、サイドリンクの伝送の関連情報を取得すること、および
伝送配置を行うことを含む、方法。
【請求項２】
前記関連情報は、
ハイブリッド自動再送リクエストＨＡＲＱエンティティの数、
ＨＡＲＱプロセスの数、
ソフトバッファサイズ、
モニタリング又は検出されるターゲット情報、
処理をサポートするデータレート、
送信パワー、
サポートされる送受信搬送波の数、
サポートされる送受信アンテナの数、
サポートされる送受信ビームの数、
サポートされる送受信リソースプールの数、
サポートされる伝送モード、
サイドリンク接続の数、及び
モニタリング又は復調されるサブ搬送波幅ＳＣＳの数、のうちの少なくとも１つを含み、
前記ターゲット情報は、セカンダリリンク制御情報ＳＣＩ、制御チャネル及び制御チャネル候補のうちの少なくとも１つを含む、請求項１に記載の方法。
【請求項３】
伝送配置を行うことは、
前記サイドリンクの伝送の接続を確立する時、前記サイドリンクの伝送に使用される関連情報をネゴシエーションすること、
前記サイドリンクによってデータが伝送される時、前記サイドリンクの伝送に使用される関連情報を割り当てること、及び
前記サイドリンクの伝送の接続中に、前記サイドリンクの伝送に使用される関連情報を管理すること、のうちの少なく１つを含む、請求項１に記載の方法。
【請求項４】
前記ネットワーク機器が伝送配置又はスケジューリングを行うように、前記関連情報をネットワーク機器に送信すること、又は
前記ターゲット端末機器が伝送配置又はスケジューリングを行うように、前記関連情報をターゲット端末機器に送信することをさらに含む、請求項１に記載の方法。
【請求項５】
前記サイドリンクの伝送に使用される関連情報をネゴシエーションすることは、
前記サイドリンクの伝送に使用される関連情報を送信することを含む、請求項３に記載の方法。
【請求項６】
前記サイドリンクの伝送に使用される関連情報をネゴシエーションすることは、
対向端機器によって推奨される、前記サイドリンクの伝送に使用される関連情報を含む、前記サイドリンクの伝送を確立するためのリクエスト情報を受信すること、
前記リクエスト情報に応答することを含む、請求項３に記載の方法。
【請求項７】
前記リクエスト情報に応答することは、
前記対向端機器とのサイドリンク接続の確立を拒否すること、又は
前記対向端機器とのサイドリンク接続を確立することを含む、請求項６に記載の方法。
【請求項８】
伝送配置を行うことは、
前記サイドリンクの伝送の接続を確立する時、又は、前記サイドリンクによってデータが伝送される時、第１のターゲットサービス品質情報及び／又は無線リソース情報に基づき、前記サイドリンクの伝送に使用される関連情報を特定することを含む、請求項１に記載の方法。
【請求項９】
伝送配置を行うことは、
前記サイドリンクの伝送の異なる伝送モードの間で伝送配置を行うこと、
前記サイドリンクの伝送の異なる送受信ビームの間で伝送配置を行うこと、
前記サイドリンクの伝送の異なる伝送タイプの間で伝送配置を行うこと、
前記サイドリンクの伝送の異なるリソースプールの間で伝送配置を行うこと、
前記サイドリンクの伝送の異なる業務の間で伝送配置を行うこと、及び
前記サイドリンクの伝送の異なる接続状態で伝送配置を行うこと、のうちの少なく１つを含む、請求項１又は２に記載の方法。
【請求項１０】
端末機器であって、
前記端末機器の最大処理能力情報及び／又は最大割り当て可能なリソース情報を含む、サイドリンクの伝送の関連情報を取得するための取得モジュールと、
伝送配置を行うための伝送配置モジュールとを含む、端末機器。
【請求項１１】
前記関連情報は、
ハイブリッド自動再送リクエストＨＡＲＱエンティティの数、
ＨＡＲＱプロセスの数、
ソフトバッファサイズ、
モニタリング又は検出されるターゲット情報、
処理をサポートするデータレート、
送信パワー、
サポートされる送受信搬送波の数、
サポートされる送受信アンテナの数、
サポートされる送受信ビームの数、
サポートされる送受信リソースプールの数、
サポートされる伝送モード、
サイドリンク接続の数、及び
モニタリング又は復調されるサブ搬送波幅ＳＣＳの数、のうちの少なくとも１つを含み、
前記ターゲット情報は、セカンダリリンク制御情報ＳＣＩ、制御チャネル及び制御チャネル候補のうちの少なくとも１つを含む、請求項１０に記載の端末機器。
【請求項１２】
伝送配置を行うことは、
前記サイドリンクの伝送の接続を確立する時、前記サイドリンクの伝送に使用される関連情報をネゴシエーションすること、
前記サイドリンクによってデータが伝送される時、前記サイドリンクの伝送に使用される関連情報を割り当てること、及び
前記サイドリンクの伝送の接続中に、前記サイドリンクの伝送に使用される関連情報を管理すること、のうちの少なく１つを含む、請求項１０に記載の端末機器。
【請求項１３】
前記ネットワーク機器が伝送配置又はスケジューリングを行うように、前記関連情報をネットワーク機器に送信し、又は
前記ターゲット端末機器が伝送配置又はスケジューリングを行うように、前記関連情報をターゲット端末機器に送信するための送信モジュールをさらに含む、請求項１０に記載の端末機器。
【請求項１４】
制御機器であって、
端末機器の最大処理能力情報及び／又は最大割り当て可能なリソース情報を含む、サイドリンクの伝送の関連情報を受信するための受信モジュールと、
前記端末機器に対して伝送配置又はスケジューリングを行うための伝送配置モジュールとを含む、制御機器。
【請求項１５】
前記関連情報は、
ハイブリッド自動再送リクエストＨＡＲＱエンティティの数、
ＨＡＲＱプロセスの数、
ソフトバッファサイズ、
モニタリング又は検出されるターゲット情報、
処理をサポートするデータレート、
送信パワー、
サポートされる送受信搬送波の数、
サポートされる送受信アンテナの数、
サポートされる送受信ビームの数、
サポートされる送受信リソースプールの数、
サポートされる伝送モード、
サイドリンク接続の数、及び
モニタリング又は復調されるサブ搬送波幅ＳＣＳの数、のうちの少なくとも１つを含み、
前記ターゲット情報は、セカンダリリンク制御情報ＳＣＩ、制御チャネル及び制御チャネル候補のうちの少なくとも１つを含む、請求項１４に記載の制御機器。
【国際調査報告】
2022502942.tif 000009
2022502942.tif 000010
2022502942.tif 000011
2022502942.tif 000012